(57)【特許請求の範囲】
【請求項１】
椅子の背凭れ等の後面に、物品を収容するポケットを取付ける取付構造であって、前記ポケットは、面状のポケット本体と、このポケット本体の両側端部を保持する上下方向を向く左右１対の芯材とを備え、前記背凭れ等の後面に、上下方向を向き、かつ外側部に外側方に開口する上下方向の嵌合溝を有する左右１対の取付部材を取付け、この両取付部材における前記嵌合溝に、前記芯材を前内向きに反転させて着脱可能に嵌合するとともに、抜け止め手段により、芯材の嵌合溝よりの抜け外れを防止するようにし、かつポケット本体の下端部を、背凭れ等の後面に、引き離し可能な止着手段をもって止着したことを特徴とする椅子へのポケットの取付構造。
【請求項２】
ポケット本体の両側部に、上下方向の袋状部を形成し、この袋状部内に芯材を収容してなる請求項１記載の椅子へのポケットの取付構造。
【請求項３】
抜け止め手段を、取付部材と芯材の対向面のいずれか一方に設けた係合凹部と、同じく他方に設けられ、前記係合凹部に係脱可能に係合する係止爪とからなるものとした請求項１または２記載の椅子へのポケットの取付構造。
【請求項４】
ポケット本体を、少なくとも左右方向に伸縮可能なものとしてなる請求項１〜３のいずれかに記載の椅子へのポケットの取付構造。
【請求項５】
取付部材の嵌合溝を、上方にも開口してなる請求項１〜４のいずれかに記載の椅子へのポケットの取付構造。
【請求項６】
取付部材における嵌合溝の上下の端部に、芯材の上下方向の移動を規制する位置決め片を設けてなる請求項１〜４のいずれかに記載の椅子へのポケットの取付構造。
【請求項７】
止着手段を面ファスナーとしてなる請求項１〜６のいずれかに記載の椅子へのポケットの取付構造。
【発明の詳細な説明】
【技術分野】
【０００１】
本発明は、例えば鉄道車両や航空機等の客室内に設置される椅子の背凭れ等の後面に、物品収容用のポケットを取付ける取付構造に関する。
【背景技術】
【０００２】
上記のように、椅子の背凭れの後面にポケットを取付けたものとしては、例えば特許文献１に記載されているように、ポケット本体であるネット部材を、左右１対の板部材を介して、背凭れの後面に、ねじにより取付けたものがある。
また、例えば特許文献２に記載されているように、ポケット本体であるネット部材を、上向きコ字状のフレームを介して、車両の内装トリムに、ねじにより取付けたものもある。
【先行技術文献】
【特許文献】
【０００３】
【特許文献１】特開２００６−１５１０８０号公報
【特許文献２】特開２００３−９５０２３号公報
【発明の概要】
【発明が解決しようとする課題】
【０００４】
上記特許文献１及び２に記載されているポケットは、いずれも、ポケット本体であるネット部材を、背凭れの後面及び内装トリムに、ねじにより直接取り付けているので、ポケットが損傷したり、汚れたりした際の交換作業、あるいはポケットを定期的に交換する際の交換作業が面倒であり、特に、多数の椅子が設置された鉄道車両や航空機等において、ポケットを定期的に交換する際には、その交換作業に多大な労力を要することとなる。
【０００５】
本発明は、上記問題点に鑑みてなされたもので、椅子の背凭れ等の後面に、ポケット本体を、簡単に着脱しうるように取付け、その交換作業等を容易に行うことができるようにするとともに、ポケット本体を、安定かつ見栄えよく取付けうるようにした、椅子へのポケットの取付構造を提供することを目的としている。
【課題を解決するための手段】
【０００６】
本発明によると、上記課題は、次の各項のようにして解決される。
（１）椅子の背凭れ等の後面に、物品を収容するポケットを取付ける取付構造であって、前記ポケットは、面状のポケット本体と、このポケット本体の両側端部を保持する上下方向を向く左右１対の芯材とを備え、前記背凭れ等の後面に、上下方向を向き、かつ外側部に外側方に開口する上下方向の嵌合溝を有する左右１対の取付部材を取付け、この両取付部材における前記嵌合溝に、前記芯材を前内向きに反転させて着脱可能に嵌合するとともに、抜け止め手段により、芯材の嵌合溝よりの抜け外れを防止するようにし、かつポケット本体の下端部を、背凭れ等の後面に、引き離し可能な止着手段をもって止着する。
【０００７】
このような構成とすると、ポケット本体の両側部の上下方向を向く芯材を、背凭れ等の後面に取付けた左右１対の取付部材の外側方に開口する嵌合溝に嵌合し、抜け止め手段により抜け外れるのを防止するだけの簡単な作業で、背凭れ等の後面にポケット本体を着脱可能に取付けることができる。従って、ポケット本体の交換作業等を極めて容易に行うことができる。
また、上下方向を向く芯材を、同じく上下方向の嵌合溝に嵌合し、嵌合領域を上下に長くしてあるので、芯材及びポケット本体を取付部材に安定よく取付けることができる。
【０００８】
（２）上記(１)項において、ポケット本体の両側部に、上下方向の袋状部を形成し、この袋状部内に芯材を収容する。
【０００９】
このような構成とすると、芯材が外部に露呈しないので、ポケットの見栄えがよくなる。
【００１０】
（３）上記(１)または(２)項において、抜け止め手段を、取付部材と芯材の対向面のいずれか一方に設けた係合凹部と、同じく他方に設けられ、前記係合凹部に係脱可能に係合する係止爪とからなるものとする。
【００１１】
このような構成とすると、芯材を嵌合溝に嵌合するだけで、係合凹部に係止爪が係合して、芯材が抜け止めされるので、ねじや複雑な形状の抜け止め手段を設ける必要がない。
また、係合凹部及び係止爪は、取付部材と芯材との対向面に設けられ、外部より見えないので、体裁もよくなる。
【００１２】
（４）上記(１)〜(３)項のいずれかにおいて、ポケット本体を、少なくとも左右方向に伸縮可能なものとする。
【００１３】
このような構成とすると、ポケット本体を外側方に伸長させて、左右の芯材を取付部材の嵌合溝に、外側方より容易に嵌合することができるとともに、嵌合後においてポケット本体がたるむのが防止される。
また、芯材の嵌合後において、ポケット本体が内向きに復元しようとする張力が作用するので、抜け止め手段を係合凹部と係止爪とした際に、それらの係合力が大となり、外れにくくなる。
【００１４】
（５）上記(１)〜(４)項のいずれかにおいて、取付部材の嵌合溝を、上方にも開口する。
【００１５】
このような構成とすると、ポケット本体及び左右の芯材を、取付部材の嵌合溝に、上方より簡単に、かつ左右同時に嵌合することができる。
【００１６】
（６）上記(１)〜(４)項のいずれかにおいて、取付部材における嵌合溝の上下の端部に、芯材の上下方向の移動を規制する位置決め片を設ける。
【００１７】
このような構成とすると、芯材を、上下方向に位置決めして嵌合溝に容易に嵌合しうるとともに、取付後のポケット本体が上下に位置ずれするのも防止される。
また、抜け止め手段を嵌合凹部と係止爪とした際に、それらを上下方向に位置決めして容易に係合させることができる。
【００１８】
（７）上記(１)〜(６)項のいずれかにおいて、止着手段を面ファスナーとする。
【００１９】
このような構成とすると、ポケット本体の下端部を背凭れ等の後面より簡単に引き離して開口しうるので、ポケット内に溜まったゴミ等を下方に排出して簡単に取り除くことができる。
【発明の効果】
【００２０】
本発明によれば、ポケット本体の交換作業等を容易に行うことができるようにした、椅子へのポケットの取付構造を提供することができる。
【図面の簡単な説明】
【００２１】
【図１】本発明の第１の実施形態を適用した車両用椅子の後方斜視図である。
【図２】同じく、背凭れの拡大後面図である。
【図３】図２のIII-III線拡大横断平面図である。
【図４】同じく、IV-IV線拡大横断平面図である。
【図５】同じく、V-V線拡大横断平面図である。
【図６】ポケット取付前の分解斜視図である。
【図７】縦芯材の拡大後面図である。
【図８】図７のVIII-VIII線拡大横断平面図である。
【図９】取付部材の拡大正面図である。
【図１０】図９のX-X線拡大横断平面図である。
【図１１】同じく、XI-XI線拡大横断平面図である。
【図１２】本発明の第２の実施形態におけるポケット本体取付前の後方斜視図である。
【発明を実施するための形態】
【００２２】
以下、本発明の実施形態を、図面に基づいて説明する。
図１は、本発明の第１の実施形態を適用した、鉄道車両用の椅子１の後方斜視図、図２は、椅子１の背凭れ２の拡大後面図、図３は、図２のIII-III線拡大横断平面図、図４は、同じくIV-IV線拡大横断平面図、図５は、同じくV-V線拡大横断平面で、ポケット３は、背凭れ２のバックボード４の下部に取付けられている。
【００２３】
ポケット３は、図６の分解斜視図に示すように、合成繊維等を網目状に編むか、織るなどして形成された伸縮性を有する方形ネット状のポケット本体５と、このポケット本体５の上下寸法とほぼ等しい上下寸法の板状の左右１対の縦芯材６、６と、ポケット本体５の左右寸法よりもやや短寸の可撓性を有する板状合成樹脂等よりなる横芯材７とを備えている。
【００２４】
ポケット本体５の両側部と下端部には、後面視上向きコ字状の袋縫い部８が連続して形成され、この袋縫い部８における前面側の下端部の両隅部には、上記縦心材６と横芯材７を挿入するための開口９、９が形成されている。ポケット本体５の袋縫い部８を含む周端部は、透けて見えない程度の目の細かな網目とされ、また、周端部により囲まれた方形面状部には、周端部と連続する目の細かな網目と、透過可能な目の粗い網目とが、上下方向に交互に、かつ左右方向に帯状に形成されている。
【００２５】
ポケット本体５の上端部の前面(裏面)における両側端部を除いた部分には、帯状のゴムバンド１０が、接着剤等により固着されている。
また、ポケット本体５の下端部の前面における両側端部を除いた部分には、図５に示すように、面ファスナー１１の一方の接続片１２ａが縫着されている。面ファスナー１１の他方の接続片１２ｂは、図２に示すように、バックボード４の下端部に、接着剤等により固着されている。
【００２６】
図３〜図５、及び図７の後面図と図８の断面図に示すように、左右の縦芯材６、６は、例えばスチール等の金属板の両側部を前内向きＵ字状(図７の後面図では後内向きＵ字状)に折り曲げることにより、前後二重構造とされ、折り返された左右の前面板６ａ、６ａの上下２箇所には、それらの対向部を外向きコ字状に切り欠くことにより、前方に開口する方形状の係合凹部１３、１３が形成されている。
【００２７】
図６に示すように、バックボード４における後面下部の両側部には、合成樹脂よりなるポケット本体５取付け用の上下方向を向く左右１対の取付部材１４、１４が固定されている。
左右の取付部材１４、１４の上下寸法は、縦芯材６の上下寸法よりも僅かに大とされ、図９の拡大正面図、及び図１０、図１１の拡大横断平面図に示すように、両取付部材１４(左右対称に付き、左側のもののみ図示する)のほぼ左半部の前面には、後方に向かって凹入するとともに、上下両端に前向きの位置決め片１５、１６を有する外側方に開口する凹部１７が、上下方向にほぼ全長に亘って形成されている。この凹部１７の上下方向の長さは、縦芯材６の上下寸法よりも僅かに大きく、かつ左右幅は、縦芯材６の左右寸法よりも若干小とされている。
【００２８】
図４及び図１１の拡大断面図に示すように、凹部１７の外側端部には、前面が斜め後ろ外側方を向く傾斜面とされた上下２個のフック状の係止爪１８、１８が、前向きに突設されている。この上下の係止爪１８は、縦芯材６の上下の係合凹部１３、１３に嵌合して係合されるようになっている(詳細は後述する)。なお、係合凹部１３の上下寸法は、係止爪１８のそれよりも大とされ、係合凹部１３に係止爪１８が余裕をもって嵌合しうるようにしてある。
【００２９】
図１０に示すように、取付部材１４の右半部の上下両端部には、後半部がテーパ状をなす取付孔１９、１９が穿設されている。
図５及び図６に示すように、上下の取付孔１９の後方より挿入した皿ねじ２０を、バックボード４の下部両側に穿設した上下２個のめねじ孔２１に螺合することにより、左右の取付部材１４は、バックボード４の下部両側に固定されている。
【００３０】
取付部材１４の固定後において、その凹部１７とバックボード４の後面との対向面間には、縦芯材６を挿入した後のポケット本体５の袋縫い部８における左右の側部袋状部８ａ、８ａが着脱可能に嵌合可能な、外側方に開口する嵌合溝２２が形成される(図３〜図５参照)。
なお、バックボード４の下部に固着した面ファスナー１１の他方の接続片１２ｂは、図６に示すように、左右の取付部材１４の下端部間に位置するようにしてある。
【００３１】
バックボード４の後面にポケット本体５を取付けるには、まず左右の縦芯材６、６を、それに形成された係合凹部１３が前方を向くようにして、ポケット本体５の左右の側部袋状部８ａ、８ａ内に、左右の開口９、９より挿入するとともに、横芯材７を、袋縫い部８における下部袋状部８ｂ内に、左右いずれか一方の開口９より挿入する。横芯材７の挿入後において、これを、左右の縦芯材６の下端部の対向面間に位置させる。
【００３２】
ついで、図６の２点鎖線で示すように、縦芯材６が挿入された左右の側部袋状部８ａ、８ａを、前内向きに折り返したのち、その折り返された側部袋状部８ａを、図３〜図５に示すように、バックボード４の後面に固定された左右の取付部材１４、１４の凹部１７内、すなわち、凹部１７とバックボード４との対向面間に形成された嵌合溝２２に、外側方より嵌合する。この際、両側部袋状部８ａのいずれか一方を、左右いずれか一方の嵌合溝２２に先に嵌合したのち、他方の側部袋状部８ａを、ポケット本体５を外側方に引っ張って伸長させながら、他方の嵌合溝２２に嵌合するのがよい。
【００３３】
このようにして、折り返した左右の側部袋状部８ａを、縦芯材６と共に嵌合溝２２に嵌合すると、図４に示すように、取付部材１４に形成された上下の係止爪１８に、前後反転して後方に開口する縦芯材６の上下の係合凹部１３が嵌合し、係止爪１８の先端部が、袋縫い部８のネットと共に、係合凹部１３の内方の開口縁部と係合することにより、折り返された側部袋状部８ａが、嵌合溝２２より外側方に抜け外れるのが防止される。しかも、ポケット本体５を外側方に引っ張って伸長させながら、嵌合溝２２に側部袋状部８ａを嵌合すると、ポケット本体５が内向きに復元しようとする張力が作用するので、係合凹部１３と係止溝１８との係合力が大となり、外れにくくなる。なお、上述したように、係止爪１８の前面は、斜め後ろ外側方を向く傾斜面としてあるので、係止爪１８に、係合凹部１３を、外側方より容易に係合させることができる。
【００３４】
また、芯材６が収容された上下方向を向く側部袋状部８ａを、上下方向の嵌合溝２２に嵌合し、嵌合領域を上下に長くしてあるので、側部袋状部８ａを含むポケット本体５を、取付部材１４に安定よく取付けることができる。
【００３５】
さらに、凹部１７の上下両端には、前向きの位置決め片１５、１６が突設されているので、側部袋状部８ａ自体を、上下方向に位置決めして嵌合溝２２に容易に嵌合することができるとともに、嵌合凹部１３と係止爪１８も上下方向に位置決めされて容易に係合させることができ、さらに、取付後のポケット本体５が上下に位置ずれするのも防止される。
【００３６】
ポケット本体５の両側部袋状部８ａを取付部材１４に嵌合したのち、図５に示すように、横芯材７を前方に弾性変形させて、袋縫い部８の下部前面とバックボード４の後面下部とに固定された面ファスナー１１の接続片１２ａ、１２ｂ同士を接続すれば、ポケット本体５の下端部とバックボード４との間の隙間が閉塞されたポケット３が形成される。
【００３７】
ポケット３に物品を収容する際には、図３の２点鎖線に示すように、ポケット本体５の上端部を、その前面に固定したゴムバンド１０を伸長させて後方に引っ張り、大きく開口させればよい。
また、下部の面ファスナー１１の接続片１２ａ、１２ｂ同士を引き離して下端部を開口すれば、ポケット３内に溜まったゴミ等を下方より取り除くことができる。
【００３８】
ポケット本体５を取り外す際には、取付部材１４における係止爪１８部付近に、ドライバー等の工具を差し込んで、取付部材１４の側端部を後方に若干弾性変形させて、縦芯材６の係合凹部１３と係止爪１８との係合を解除し、ポケット本体５の側部袋状部８ａを嵌合溝２２より外側方に離脱させればよい。従って、ポケット本体５が損傷したり、定期的に交換したりする際の交換作業を、極めて容易に行うことができる。
【００３９】
図１２は、本発明の第２の実施形態を示すもので、上記第１の実施形態と異なるのは、左右の取付部材２３、２３の形状のみである。
合成樹脂または金属板等よりなる両取付部材２３は、上下２個の皿ねじ２４、２４によりバックボード４の後面に固定された上下方向を向く基片２３ａと、その外側縁に連設された、バックボード４の後面と離間する外向きＬ字状の保持片２３ｂとからなり、保持片２３ｂの外側端部には、上記係止爪１８と同様の上下１対の係止爪２５、２５が、前向きに突設されている。バックボード４と保持片２３ｂとの対向面間には、ポケット本体５の側部袋状部８ａが嵌合可能な、上下両方向と外側方に開口する嵌合溝２６が形成されている。
【００４０】
ポケット本体５を取付部材２３、２３に取付けるには、上記第１実施形態と同様に、縦芯材６が挿入された左右の側部袋状部８ａ、８ａを前内向きに折り曲げて、それらを、左右の取付部材２３、２３の嵌合溝２６、２６に、上方または外側方より嵌合し、縦芯材６に形成された上下の係合凹部１３(この実施形態では図示略)を、保持片２３ｂの上下の係止爪２５、２５に係合させる。
そののち、上記と同様に、ポケット本体５の下部前面とバックボード４の後面下部とに固定された面ファスナー１１の接続片１２ａ、１２ｂ同士を接続すればよい。
【００４１】
第２の実施形態においても、上記と同様、ポケット本体５の交換作業を極めて容易に行うことができる。
また、嵌合溝２６は上方にも開口しているので、ポケット本体５を上方より容易に取り付けることができる。
さらに、左右の取付部材２３は同じ形状であるので、上下に反転させて左右勝手違いに取付けることができるとともに、成形用の金型等が一つで済むので、製造コストも削減される。
【００４２】
本発明は、上記実施形態に限定されるものではない。
上記実施形態では、取付部材１４、２３とバックボード４の対向面間に、ポケット本体５の側部袋状部８ａが嵌合される嵌合溝２２、２６を形成したが、取付部材１４、２３の厚さを大とするなどして、その外側端部に外側方に開口する嵌合溝を直接形成してもよい。
【００４３】
また、上記第１の実施形態において、係合凹部１３と係止爪１８との上下寸法をほぼ等しくして、それらが係合したとき、ポケット本体５が上下方向に位置ずれしないようにすれば、上下の位置決め片１５、１６は省略することもできる。
【００４４】
さらに、上記実施形態では、ポケット本体５の両側部に袋状部８ａを形成し、この中に縦芯材６を収容しているが、このような袋状部８ａを設けないで、単に面状としたポケット本体５の側端部に縦芯材６を固着し、縦芯材６のみを前内向きに反転させて、嵌合溝２２、２６に嵌合してもよい。
【００４５】
上記実施形態では、ポケット本体５の下部袋状部８ｂにも、横芯材７を挿入しているが、この横芯材７は省略することもある。
【００４６】
ポケット本体５の下端部をバックボード４の後面に止着する止着手段に、面ファスナー１１を用いているが、これに代えて、例えば平板状をなす硬質の永久磁石または可撓性のゴム磁石等を使用してもよい。
【００４７】
本発明は、上記鉄道車両用の椅子の外、例えば航空機や自動車の椅子、あるいは車両等における椅子の側方の内装トリムなどにも適用することができる。
【符号の説明】
【００４８】
１  椅子
２  背凭れ
３  ポケット
４  バックボード
５  ポケット本体
６  縦芯材
６ａ前面板
７  横芯材
８  袋縫い部
８ａ側部袋状部
８ｂ下部袋状部
９  開口
１０  ゴムバンド
１１  面ファスナー
１２ａ接続片
１２ｂ接続片
１３  係合凹部
１４  取付部材
１５  位置決め片
１６  位置決め片
１７  凹部
１８  係止爪
１９  取付孔
２０  皿ねじ
２１  めねじ孔
２２  嵌合溝
２３  取付部材
２３ａ基片
２３ｂ保持片
２４  皿ねじ
２５  係止爪
２６  嵌合溝
【図１】
0005452995.tif 000002
【図２】
0005452995.tif 000003
【図３】
0005452995.tif 000004
【図４】
0005452995.tif 000005
【図５】
0005452995.tif 000006
【図６】
0005452995.tif 000007
【図７】
0005452995.tif 000008
【図８】
0005452995.tif 000009
【図９】
0005452995.tif 000010
【図１０】
0005452995.tif 000011
【図１１】
0005452995.tif 000012
【図１２】
0005452995.tif 000013